(57)【要約】【課題】デジタルカメラ等で撮影されたカメラ画像データを変換や圧縮等をすることなく簡単に低コストで送受信可能なカラー画像通信装置を提供する。【解決手段】画像データを送信する場合、ダイヤルし（ＳＴ１）、相手（被呼先）から応答があるか判定し（ＳＴ２）、応答があると、被呼先から信号を受信し（ＳＴ３）、受信信号がＤＩＳ信号か判定する（ＳＴ４）。ＤＩＳ信号であると、送信する原稿（画像）がカラー画像データであるのか判定し（ＳＴ５）、カラー画像データであるなら、そのカラー画像データがＣＩＥＬＡＢかｓＹＣＣか判定し（ＳＴ６）、ｓＹＣＣなら、ＤＣＳ信号に原稿サイズ情報をセットすること無しに送信する（ＳＴ７）。原稿がカラー画像データでないときや、カラー画像データがＣＩＥＬＡＢであるときは、従来通りのファクシミリ通信手順で送信する。【選択図】      図２
2004194277.tif 000002
【特許請求の範囲】
【請求項１】
ｓＹＣＣ−ＪＰＥＧ色空間の画像データをファクシミリ送信する送信手段と、
ファクシミリ送信するカラー画像データがｓＹＣＣ−ＪＰＥＧ色空間の画像データである場合は、ファクシミリ通信手順にサイズ情報をセットすること無しに、当該ｓＹＣＣ−ＪＰＥＧ色空間の画像データをファクシミリ送信するように制御する制御手段とを備えたことを特徴とするカラー画像通信装置。
【請求項２】
前記制御手段は、ファクシミリ送信するカラー画像データがｓＹＣＣ−ＪＰＥＧ色空間の画像データである場合は、ファクシミリ通信手順のＤＣＳ（Ｄｉｇｉｔａｌ  Ｃｏｍｍａｎｄ  Ｓｉｇｎａｌ）にサイズ情報をセットすること無しに、当該ｓＹＣＣ−ＪＰＥＧ色空間の画像データをファクシミリ送信するように制御することを特徴とする請求項１記載のカラー画像通信装置。
【請求項３】
前記制御手段は、ファクシミリ送信するカラー画像データがｓＹＣＣ−ＪＰＥＧ色空間の画像データである場合は、ファクシミリ通信手順にサイズ情報をセットすること無しに、ファイル内に機能情報を添付した形態で、当該ｓＹＣＣ−ＪＰＥＧ色空間の画像データファイルをファクシミリ送信するように制御することを特徴とする請求項１記載のカラー画像通信装置。
【請求項４】
前記機能情報には、デジタルカメラの画像である旨の情報が含まれていることを特徴とする請求項３記載のカラー画像通信装置。
【請求項５】
前記機能情報には、画像データの画素数を示す情報が含まれていることを特徴とする請求項３記載のカラー画像通信装置。
【請求項６】
ファクシミリ通信手順に従って第１色空間のカラー画像データを送信する手段と、
ファクシミリ通信手順に従って第２色空間のカラー画像データを送信する手段と、
第１色空間のカラー画像データの場合は、ファクシミリ通信手順にサイズ情報をセットして当該カラー画像データをファクシミリ送信し、第２色空間カラー画像データの場合は、ファクシミリ通信手順にサイズ情報をセットすること無しに当該カラー画像データをファクシミリ送信するように制御する制御手段と、
を備えたことを特徴とするカラー画像通信装置。
【請求項７】
カラー画像データをファクシミリ送信する前に、送信するカラー画像データがｓＹＣＣ−ＪＰＥＧ色空間の画像データであるか否かを判定する判定ステップと、
送信するカラー画像データがｓＹＣＣ−ＪＰＥＧ色空間の画像データである場合は、ファクシミリ通信手順にサイズ情報をセットすること無しに、当該ｓＹＣＣ−ＪＰＥＧ色空間の画像データをファクシミリ送信する送信ステップと、
を備えたことを特徴とするカラー画像通信方法。
【請求項８】
カラー画像データをファクシミリ送信する前に、送信するカラー画像データがｓＹＣＣ−ＪＰＥＧ色空間の画像データであるか否かを判定する判定ステップと、
送信するカラー画像データがｓＹＣＣ−ＪＰＥＧ色空間の画像データである場合は、ファクシミリ通信手順にサイズ情報をセットすること無しに、当該ｓＹＣＣ−ＪＰＥＧ色空間の画像データをファクシミリ送信し、送信するカラー画像データがｓＹＣＣ−ＪＰＥＧ色空間の画像データでない場合は、ファクシミリ通信手順にサイズ情報をセットして、当該ｓＹＣＣ−ＪＰＥＧ色空間以外の色空間の画像データをファクシミリ送信する送信ステップと、
を備えたことを特徴とするカラー画像通信方法。
【請求項９】
ｓＹＣＣ−ＪＰＥＧ色空間の画像データファイルをファクシミリ通信手順に従って受信する受信手段と、
受信したカラー画像データがｓＹＣＣ−ＪＰＥＧ色空間の画像データである場合は、ファクシミリ通信手順のサイズ情報を判断すること無しに、受信したｓＹＣＣ−ＪＰＥＧ色空間の画像データファイルに添付されか機能情報に基づいて、当該ｓＹＣＣ−ＪＰＥＧ色空間の画像データファイルを処理する制御手段と、
を備えたことを特徴とするカラー画像通信装置。
【発明の詳細な説明】
【０００１】
【発明の属する技術分野】
この発明は、ファクシミリ装置、コピー装置、それらの複合機等に使用されるカラー画像通信装置及びカラー画像通信方法に関する。
【０００２】
【従来の技術】
近年、カラー読み取り装置を備え、読み取ったカラー画像も電話回線を介して伝送するカラーファクシミリ装置が開発されている。この種のカラーファクシミリ装置の画像伝送は、ＩＴＵ−Ｔ勧告Ｔ．８１に従って行われるが、伝送できるカラー画像データのサイズが限定される。このため、デジタルカメラによって撮影した画像データをファックス伝送することができないという問題がある。これは、デジタルカメラ等のデータファイルは、データサイズの指定が純粋な画素数（縦×横ドット数）となっており、従来からファクシミリで扱っているような記録サイズと解像度から算出される画素数となっていないためである。
【０００３】
デジタルカメラによって撮影した画像データは、通常ｓ（スタンダード）ＹＣＣ色空間のＪＰＥＧ画像データ（以下、ｓＹＣＣ−ＪＰＥＧ画像データという）で表現されている。それに対し、Ｔ．８１ではカラー画像データをＣＩＥ（国際照明委員会）表色系のＬＡＢ色空間のＪＰＥＧ画像データ（以下、ＣＩＥＬＡＢ−ＪＰＥＧ画像データという）で伝送することが規定されている。
【０００４】
そこで、特にデジタルカメラで撮影した画像等の既存の高画質カラー画像データを、電話回線を介して送信先装置に転送できるように、送信先又は送信元装置が持つプリンタの機能情報（解像度、出力色数）を取得し、取得したプリンタの解像度や出力色数が自機のそれよりも低いときは、低い解像度や出力色数に合わせて画像電送データを生成する技術が提案されている（例えば、特許文献１参照）。
【０００５】
また、デジタルカメラ等で用いられているような記録メディアのスロットをファクシミリ装置に装備し、デジタルカメラ等で撮影して得たＹＣＣ−ＪＰＥＧ画像データを記録メディアから一旦メモリに読み出し、これをファクシミリ装置のメモリにＲＧＢ画像データとして展開した後、画像データの横幅が所定画素数になるように白画素を追加してから、再度ＬＡＢ−ＪＰＥＧ画像データに圧縮し、順次Ｔ．８１に従って送信する技術が提案されている（例えば、特許文献２参照）。
【０００６】
更に、パソコンで扱うカラー情報やデジタルカメラで扱うカラー情報を通信する場合に、バイナリファイルトランスファーモードによりカラー情報を送信する機能と、ＩＴＵ−Ｔ勧告Ｔ．８１に基づいてファクシミリ通信を実行する機能とを備え、受信機がバイナリファイルトランスファーモードの受信機能を有していないときは、カラー情報をＴ．８１に基づいたファクシミリ情報に変換して送信し、受信機がバイナリファイルトランスファーモードの受信機能を有しているときは、カラー情報をバイナリファイルトランスファーモードによって送信する技術が提案されている（例えば、特許文献３参照）。
【０００７】
【特許文献１】
特開２０００−３３２９３３
【０００８】
【特許文献２】
特開２００１−２８５６４７
【０００９】
【特許文献３】
特開２００２−２０４３６１
【００１０】
【発明が解決しようとする課題】
しかしながら、上記特許文献１記載の技術では、送信先又は送信元装置のプリンタが持つ機能情報に合わせて画像電送データを生成しているので、その生成手段のための構成が複雑になるだけでなく、コストも掛かる。また、送信先又は送信元装置のプリンタの解像度や出力色数が自機のそれよりも低いときは、低い解像度や出力色数に合わせて画像電送データを生成するものであり、デジタルカメラで撮影した画像データを、そのまま解像度や出力色数を低下させることなしに電送することは想定していない。
【００１１】
上記特許文献２記載の技術でも、デジタルカメラ等の画像データをそのままファクシミリ装置から送信するものではない。すなわち、記録メディア（フラッシュメモリ、スマートメディア等）を装置のスロットに差し込んでＹＣＣ−ＪＰＥＧ画像データを取り込み、そのＹＣＣ−ＪＰＥＧ画像データをＲＧＢ画像データに変換した後、白画素を追加し、更にＬＡＢ−ＪＰＥＧ画像データにに圧縮してから送信する。そのため、複雑でコストが掛かるという問題がある。  上記特許文献３記載の技術では、受信機がバイナリファイルトランスファーモードの受信機能を有していないときは、カラー情報をＴ．８１に基づいたファクシミリ情報に変換して送信するので、これもデジタルカメラ等の画像データをそのまま送信するのではない。そのため、画像変換のための構成が複雑でコストも高くなるという問題がある。
【００１２】
この発明は、そのような問題に着目してなされたものであって、デジタルカメラ等で撮影されたカラー画像データを変換や圧縮等をすることなく簡単に低コストで送受信可能なカラー画像通信装置及びカラー画像通信方法を提供することを目的としている。
【００１３】
【課題を解決するための手段】
前記目的を達成するために、この発明のカラー画像通信装置は、送信手段及び制御手段を備えている。送信手段は、ｓＹＣＣ−ＪＰＥＧ色空間の画像データをファクシミリ送信する。制御手段は、ファクシミリ送信するカラー画像データがｓＹＣＣ−ＪＰＥＧ色空間の画像データである場合は、ファクシミリ通信手順のＤＣＳ（Ｄｉｇｉｔａｌ  Ｃｏｍｍａｎｄ  Ｓｉｇｎａｌ）にサイズ情報をセットすること無しに、当該ｓＹＣＣ−ＪＰＥＧ色空間の画像データをファクシミリ送信するように制御する。
【００１４】
この装置によれば、デジタルカメラ等で撮影されたｓＹＣＣ−ＪＰＥＧ色空間のカラー画像データを、従来技術のような変換や圧縮等を施すこと無しにそのままファクシミリ通信可能となる。従って、構成が簡素になり、ｓＹＣＣ−ＪＰＥＧ色空間の画像データを簡単に低コストで通信できる。
【００１５】
また、この発明のカラー画像通信装置は、ファクシミリ通信手順に従って第１色空間（ＣＩＥＬＡＢ−ＪＰＥＧ）のカラー画像データを送信する手段と、ファクシミリ通信手順に従って第２色空間（ｓＹＣＣ−ＪＰＥＧ）のカラー画像データを送信する手段と、カラー画像データのファクシミリ送信を制御する制御手段とを備えている。制御手段は、第１色空間のカラー画像データの場合、ファクシミリ通信手順のＤＣＳ（Ｄｉｇｉｔａｌ  Ｃｏｍｍａｎｄ  Ｓｉｇｎａｌ）にサイズ情報をセットして当該カラー画像データをファクシミリ送信するように制御する。また、制御手段は、第２色空間のカラー画像データの場合、ファクシミリ通信手順のＤＣＳ（Ｄｉｇｉｔａｌ  Ｃｏｍｍａｎｄ  Ｓｉｇｎａｌ）にサイズ情報をセットすること無しに、当該カラー画像データをファクシミリ送信するように制御する。
【００１６】
また、この発明のカラー画像通信方法は、ファクシミリ送信するカラー画像データがｓＹＣＣ−ＪＰＥＧ色空間の画像データである場合は、ファクシミリ通信手順のＤＣＳ（Ｄｉｇｉｔａｌ  Ｃｏｍｍａｎｄ  Ｓｉｇｎａｌ）にサイズ情報をセットすること無しに、当該ｓＹＣＣ−ＪＰＥＧ色空間の画像データをファクシミリ送信するステップを備えている。
【００１７】
また、この発明のカラー画像通信方法は、ファクシミリ送信するカラー画像データがｓＹＣＣ−ＪＰＥＧ色空間の画像データである場合は、ファクシミリ通信手順のＤＣＳ（Ｄｉｇｉｔａｌ  Ｃｏｍｍａｎｄ  Ｓｉｇｎａｌ）にサイズ情報をセットすること無しに、当該ｓＹＣＣ−ＪＰＥＧ色空間の画像データをファクシミリ送信し、送信するカラー画像データがｓＹＣＣ−ＪＰＥＧ色空間の画像データでない場合は、ファクシミリ通信手順にサイズ情報をセットして、当該ｓＹＣＣ−ＪＰＥＧ色空間以外の色空間の画像データをファクシミリ送信するステップを備えている。
【００１８】
また、この発明のカラー画像通信装置は、受信手段及び制御手段を備えている。受信手段は、ｓＹＣＣ−ＪＰＥＧ色空間の画像データファイルをファクシミリ通信手順に従って受信する。制御手段は、受信したカラー画像データがｓＹＣＣ−ＪＰＥＧ色空間の画像データである場合は、受信時にファクシミリ通信手順ＤＣＳ（Ｄｉｇｉｔａｌ  Ｃｏｍｍａｎｄ  Ｓｉｇｎａｌ）に基づくサイズ情報の判断は行わない。このとき、制御手段は受信した画像データファイルに添付された機能情報に基づいて、当該ｓＹＣＣ−ＪＰＥＧ色空間の画像データファイルを処理する。
【００１９】
【発明の実施の形態】
以下、実施の形態により、この発明を更に詳細に説明する。
【００２０】
その実施形態に係るカラー画像通信装置の構成の一例を示すブロック図を図１に示す。このカラー画像通信装置は、コピー装置とファクシミリ装置を兼用する複合機として構成したものである。ファクシミリ装置は、ＩＴＵ−Ｔ勧告で規定されたファクシミリ通信手順に従って、カラー画像をファクシミリ通信する機能を備えている。
【００２１】
図１において、主制御部としてのＣＰＵ（中央処理装置）１は、当該装置を構成する各部を統括制御する機能を有する。
【００２２】
このＣＰＵ１には、ＮＣＵ（網制御回路：Ｎｅｔｗｏｒｋ  Ｃｏｎｔｒｏｌ  Ｕｎｉｔ）２、ＭＯＤＥＭ３、ＲＯＭ４、ＲＡＭ５、画像メモリ６、表示部７、操作部８、画像読み取り部９、画像記録部１０、ＣＯＤＥＣ（符号化・復号器：Ｃｏｄｅｒ  ａｎｄ  Ｄｅｃｏｄｅｒ  ）１１、ＬＡＮ  Ｉ／Ｆ１２がバス１３を介して接続されている。
【００２３】
ＮＣＵ２は、ＣＰＵ１により制御されて、通信回線である電話回線網（ＰＳＴＮ）１４との接続を制御する。また、ＮＣＵ２は、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、ＭＯＤＥＭ３は、Ｖ．８、Ｖ．３４を用いたＶ．３４ＦＡＸにも適用可能である。具体的には、ＭＯＤＥＭ３は、ＮＣＵ２を介して電話回線網１４に送出するために、デジタル信号である送信データをアナログの音声信号に変調する機能を有する。また、ＭＯＤＥＭ３は、電話回線網１４からＮＣＵ２を介して受信したアナログの音声信号をデジタル信号に復調する機能を有する。
【００２４】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。画像メモリ６は、画像読み取り部９で読み取った画像データを圧縮状態で記憶する。さらに、画像メモリ６は、パーソナルコンピュータ等の外部装置からネットワーク（ＬＡＮ）を介して受信した画像データ又は記録メディアから読み込んだ画像データを圧縮状態（ＪＰＥＧ等）で記憶する。
【００２５】
表示部７は、アイコン、キーボタンの表示や、データの送受信に必要なメッセージ内容、操作部８の操作により入力された電話番号やＦＡＸ番号等を表示する。この表示部７としては、ＣＲＴディスプレイやＬＣＤ（液晶表示装置）が用いられる。操作部８は、テンキーと、ワンタッチキーと、登録キーと、スタートキーと、動作モード切替キーとを有する。テンキーは、電話番号やＦＡＸ番号を入力するためのものである。ワンタッチキーは、相手先の電話番号やＦＡＸ番号をワンタッチで呼び出すためのものである。登録キーは、相手先の電話番号やＦＡＸ番号を短縮登録するためのものである。スタートキーは、ファクシミリ通信やコピー動作の開始を指示するためのものである。動作モード切替キーは、ＦＡＸモード・コピーモード・スキャナモード等の複数の動作モードについてのモード切り替えを行うためのものである。
【００２６】
画像読み取り部９は、ファクシミリ送信するとき又はコピーするときに、原稿の画像データを光学的に走査して読み取る。この画像読み取り部９は、カラー画像の読み取りも可能である。カラー読み取りの場合、画像読み取り部９は、原稿画像を光学的に走査し、ＲＧＢ３色の色分解信号を得る。画像記録部１０は、電子写真方式のプリンタよりなり、受信画像データやコピー動作において画像読み取り部９で読み取った原稿の画像データを記録紙上に記録する。この画像記録部１０は、ＣＭＹＫ４色の記録剤（トナー）を使用するものであり、Ｋ（黒成分）のみの記録剤を用いたモノクロプリントに加えて、ＣＭＹＫ４色全ての記録剤を用いたカラープリントも可能である。
【００２７】
ＣＯＤＥＣ１１は、読み取った画像データを送信又は記憶するためにＭＨ、ＭＲ、ＭＭＲ方式等により符号化（エンコード）する。また、ＣＯＤＥＣ１１は、圧縮符号化された状態で受信した画像データを、画像記録部１０により記録するために復号（デコード）する。更に、ＣＯＤＥＣ１１は、画像読み取り部９でカラー読み取りして得たカラー画像データをＪＰＥＧ方式により符号化し、ＪＰＥＧ方式により符号化された状態で受信したカラー画像データを、画像記録部１０により記録するために復号する。ＬＡＮ  Ｉ／Ｆ１２は、ＬＡＮ（ローカルエリアネットワーク）を介して外部機器とのデータ授受を行うためのものであり、ＬＡＮ  Ｉ／Ｆ１２を介してＰＣ（パーソナルコンピュータ）等の外部機器が接続される。例えば、ＬＡＮ  Ｉ／Ｆ１２を介して、外部機器からｓＹＣＣ−ＪＰＥＧ色空間の画像データを受信することができる。受信したｓＹＣＣ−ＪＰＥＧ色空間の画像データは、そのまま圧縮符号化された状態で画像メモリ６に記憶される。
【００２８】
次に、このカラー画像通信装置により、カラー画像データをファクシミリ送信する場合の送信動作について、図２のフロー図を参照して説明する。まず、ステップＳＴ１において、相手（被呼先）のＦＡＸ番号にダイヤルする。次いで、ステップＳＴ２において、被呼先の装置から応答が有るか否かを判定し、無い場合は、ステップＳＴ８において、予め設定したＴ０時間が経過したか判定する。Ｔ０時間が経過すれば、ステップＳＴ１０において、リダイヤル処理をする。つまり、ステップＳＴ１に戻る。Ｔ０時間が経過しないときは、ステップＳＴ９において、呼び出し信号（ＣＮＧ：Ｃａｌｌｉｎｇ  Ｔｏｎｅ）を送出した後、ステップＳＴ２に戻る。
【００２９】
ステップＳＴ２において、被呼先の装置から応答が有る場合は、ステップＳＴ３において、相手からの信号を受信する。そして、ステップＳＴ４において、受信信号がファクシミリ伝送制御手順の中のデジタル識別信号（ＤＩＳ：Ｄｉｇｉｔａｌ  Ｉｄｅｎｔｉｆｉｃａｔｉｏｎ  Ｓｉｇｎａｌ  ）であるか判定し、ＤＩＳ信号でないときは、ステップＳＴ２に戻る。
【００３０】
ステップ４において、ＤＩＳ信号を受信したと判断すると、ステップＳＴ５において、実際の画像データの送信に先立って、今から送信する原稿（画像）がカラー画像データであるか否かを判定する。例えば、ステップＳＴ５では、画像読み取り部９で読み取った画像データを送信する場合には、カラーモードで読み取ったか、モノクロモードで読み取ったかにより、カラー画像データであるかモノクロ画像データであるかを判定する。また、ファクシミリ送信動作の開始前から画像メモリ６に記憶されている画像データ（ファイル）を送信する場合には、その画像データのファイル名又はファイルに添付された機能情報に基づいて判定できる。カラー画像データであると判定したときは、ステップＳＴ６において、そのカラー画像データはＣＩＥＬＡＢ−ＪＰＥＧ色空間の画像データであるか、それともｓＹＣＣ−ＪＰＥＧ色空間の画像データであるかを判定する。ｓＹＣＣ−ＪＰＥＧ色空間の画像データである場合は、ステップＳＴ７において、ファクシミリ伝送制御手順の中のデジタル命令信号（ＤＣＳ：Ｄｉｇｉｔａｌ  Ｃｏｍｍａｎｄ  Ｓｉｇｎａｌ）に原稿サイズ情報（主走査幅、副走査線密度、解像度等）をセットすること無しに、当該ｓＹＣＣ−ＪＰＥＧ画像データを圧縮状態のままファクシミリ送信する。ステップＳＴ７では、ＤＣＳ信号にｓＹＣＣ−ＪＰＥＧ画像データである旨の情報をセットし、ファイル内に機能情報を添付した状態でｓＹＣＣ−ＪＰＥＧ画像データのファイルを送信する。例えば、機能情報は、画素数（縦×横ドット数）を示す情報やデジタルカメラで撮影した画像である旨の情報を含む。
【００３１】
一方、ステップＳＴ５において、原稿がカラー画像データでないと判定したとき、すなわちモノクロ画像データであると判定したときは、ステップＳＴ１１に移行する。また、ステップＳＴ６において、カラー画像データがＣＩＥＬＡＢ−ＪＰＥＧ画像データであると判定したときは、ステップＳＴ１１に移行する。ステップＳＴ１１において、ＩＴＵ−Ｔ勧告Ｔ．８１等に則した形態で従来通りのファクシミリ送信を行う。ステップＳＴ１１のファクシミリ送信処理では、ＤＣＳ信号に原稿サイズ情報をセットし、モノクロ画像データ又はＣＩＥＬＡＢ−ＪＰＥＧ画像データをファクシミリ送信する。モノクロ画像データを送信する場合には、ＤＣＳ信号にモノクロ画像データである旨の情報をセットして送信する。ＣＩＥＬＡＢ画像データを送信する場合には、ＤＣＳ信号にカラー画像データである旨の情報とＣＩＥＬＡＢ画像データである旨の情報とをセットして送信する。
【００３２】
次に、このカラー画像通信装置により、カラー画像データをファクシミリ受信する場合の動作について、図３のフロー図を参照して説明する。図３のフローでは、発呼先装置からのＣＮＧ信号受信以降の手順について説明する。まず、発呼先装置からのＣＮＧ信号を受信すると、ステップＳＴ２１において、発呼先の装置に対してファクシミリ伝送制御手順の中のＤＩＳ信号を出力する。次いで、ステップＳＴ２２において、発呼先の装置から受信した信号がファクシミリ伝送制御手順の中のＤＣＳ信号であるか否かを判定し、ＤＣＳ信号でないときは、ステップＳＴ２１に戻り、再度ＤＩＳ信号を送出する。
【００３３】
ステップＳＴ２２において受信信号がＤＣＳ信号であると判定したときは、ステップＳＴ２３において、今から受信する原稿（画像）はカラー画像データであるか否かを判定する。上述したように、受信したＤＣＳ信号には、受信画像データがカラーかモノクロかを示す情報と、カラーの場合における画像データの形式（ｓＹＣＣ−ＪＰＥＧかＣＩＥＬＡＢか）を示す情報とが含まれている。従って、ステップＳＴ２３では、ステップＳＴ２２で受信したＤＣＳ信号に基づいて、カラー画像データであるかモノクロ画像データであるかを判定する。ステップＳＴ２３においてカラー画像データであると判定したときは、ステップＳＴ２４において、ステップＳＴ２２で受信したＤＣＳ信号に基づいて、そのカラー画像データはＣＩＥＬＡＢ−ＪＰＥＧ画像データであるか、それともｓＹＣＣ−ＪＰＥＧ画像データであるかを判定する。ｓＹＣＣ−ＪＰＥＧ画像データである場合は、ステップＳＴ２５において、ＤＣＳ信号に基づく原稿サイズの判断を行うこと無しに、当該ｓＹＣＣ−ＪＰＥＧ画像データを受信する。ステップＳＴ２５において受信したｓＹＣＣ−ＪＰＥＧ画像データは、圧縮状態のまま画像メモリ６に記憶される。
【００３４】
一方、ステップＳＴ２３において、原稿がカラー画像データでないと判定したとき、すなわち、モノクロ画像データであると判定したときは、ステップＳＴ２６に移行する。また、ステップＳＴ２４において、カラー画像データがｓＹＣＣ−ＪＰＥＧ画像データでないと判定したとき、すなわちＣＩＥＬＡＢ−ＪＰＥＧ画像データであると判定したときは、ステップＳＴ２６に移行する。ステップＳＴ２６においては、ＩＴＵ−Ｔ勧告Ｔ．８１等に則した形態で従来通りのファクシミリ通信受信を行う。ステップＳＴ２６のファクシミリ受信処理では、ＤＣＳ信号を解析して原稿サイズを検出し、その原稿サイズに基づいて受信画像データの処理（記憶・復号・転送等）を行う。
【００３５】
【発明の効果】
以上説明したように、本発明によれば、デジタルカメラ等で撮影されたカラー画像データをそのまま送受信するので、従来技術のような変換や圧縮等をする場合に比べて、構成が簡素で済み、ｓＹＣＣ−ＪＰＥＧ色空間の画像データを簡単に低コストで送受信することができる。特に、ｓＹＣＣ−ＪＰＥＧ色空間の画像データを送信する場合に、デジタル命令信号ＤＣＳに原稿サイズ情報をセットすること無しに送信することにより、ファクシミリ通信手順により、デジタルカメラの画像を容易に送信できる。
【図面の簡単な説明】
【図１】実施形態に係るカラー画像通信装置の一例を示すブロック図である。
【図２】カラー画像データをファクシミリ送信する場合の送信動作を示すフロー図である。
【図３】カラー画像データをファクシミリ受信する場合の受信動作を示すフロー図である。
【符号の説明】
１      主制御部（ＣＰＵ）
２      ＮＣＵ
３      ＭＯＤＥＭ
４      ＲＯＭ
５      ＲＡＭ
６      画像メモリ
７      表示部
８      操作部
９      画像読み取り部
１０    画像記録部
１１    ＣＯＤＥＣ
１２    ＬＡＮ  Ｉ／Ｆ
１３    バス
１４    電話回線網
１５    ＬＡＮ
【図１】
2004194277.tif 000003
【図２】
2004194277.tif 000004
【図３】
2004194277.tif 000005